(57)【要約】      （修正有）【課題】ガスの拡散性のみならず、生成水の排水性にも優れた燃料電池を提供する。【解決手段】膜電極接合体、エキスパンドメタルからなるガス流路層２０、セパレータを備えてなる燃料電池であり、ガス流路層２０は対向する２つの端辺を２組備えており、一方の端辺近傍にはガス流路層２０にガスを供給する第１の供給マニホールド２１ａと第１の排気マニホールド２１ｂが設けられ、他方の端辺近傍には第２の供給マニホールド２２ａと第２の排気マニホールド２２ｂが設けられ、第１の供給マニホールド２１ａから第１の排気マニホールド２１ｂへのガス流れに対する流動抵抗が、第２の供給マニホールド２２ａから第２の排気マニホールド２２ｂへのガス流れに対する流動抵抗よりも大きくなっており、該ガス流路層２０の面内の２方向のいずれか一方向もしくは双方向に選択的にガスが流れるようになっている。【選択図】図２
2009277539.tif 000002
【特許請求の範囲】
【請求項１】
イオン透過性の電解質膜と、該電解質膜を挟持するアノード電極層およびカソード電極層と、を少なくとも備えた膜電極接合体と、該膜電極接合体を挟持するアノード側およびカソード側のガス流路層と、該ガス流路層を挟持するアノード側およびカソード側のセパレータと、を備えてなる燃料電池であって、
前記ガス流路層は対向する２つの端辺を２組備えており、一方の組の端辺近傍にはガス流路層にガスを供給する第１の供給マニホールドと、ガス流路層を流れたガスを排気する第１の排気マニホールドが設けられ、他方の組の端辺近傍には第２の供給マニホールドと第２の排気マニホールドが設けられており、
少なくともカソード側のガス流路層は多孔質のエキスパンドメタルから形成されており、第１の供給マニホールドから第１の排気マニホールドへのガス流れに対する流動抵抗が、第２の供給マニホールドから第２の排気マニホールドへのガス流れに対する流動抵抗よりも大きくなっており、該ガス流路層の面内の２方向のいずれか一方向もしくは双方向に選択的にガスが流れるようになっている、燃料電池。
【請求項２】
前記燃料電池は、ガス制御手段をさらに具備しており、
前記ガス制御手段により、燃料電池の発電時には、第１の供給マニホールドから第１の排気マニホールドへガスを流し、発電停止時には、第２の供給マニホールドから第２の排気マニホールドへガスを流すようにガス流れが制御されている、請求項１に記載の燃料電池。
【請求項３】
前記ガス制御手段により、燃料電池の発電時にエキスパンドメタル内に生成水が滞留した際に、第２の供給マニホールドから第２の排気マニホールドへのガス流れが実行制御されている、請求項２に記載の燃料電池。
【発明の詳細な説明】
【技術分野】
【０００１】
本発明は、燃料電池に係り、特に、発電効率に優れ、生成水の排水性に優れた燃料電池に関するものである。
【背景技術】
【０００２】
固体高分子型燃料電池の単セルは、イオン透過性の電解質膜と、該電解質膜を挟持するアノード電極層およびカソード電極層とからなる膜電極接合体（ＭＥＡ：Ｍｅｍｂｒａｎｅ  Ｅｌｅｃｔｒｏｄｅ  Ａｓｓｅｍｂｌｙ）、もしくは、該電極層をガス拡散層（ＧＤＬ）で挟持してなる膜電極接合体（ＭＥＧＡ：Ｍｅｍｂｒａｎｅ  Ｅｌｅｃｔｒｏｄｅ  ＆  Ｇａｓ  Ｄｉｆｆｕｓｉｏｎ  Ｌａｙｅｒ  Ａｓｓｅｍｂｌｙ）と、該膜電極接合体に燃料ガスもしくは酸化剤ガスを提供するとともに電気化学反応によって生じた電気を集電するためのガス流路層およびセパレータを少なくとも備えている。なお、セパレータがガス流路層の作用をも兼ね備えたセル構造も従来一般に知られるところである。燃料電池スタックは、所要電力に応じてこの単セルを所定数だけ積層することによって形成されている。
【０００３】
上記する燃料電池では、アノード電極に燃料ガスとして水素ガス等が提供され、カソード電極には酸化剤ガスとして酸素や空気が提供され、各電極では固有のガス流路層にて面内方向にガスが流れ、次いでガス拡散層にて拡散されたガスが電極触媒に導かれて電気化学反応がおこなわれるものである。
【０００４】
セパレータからガス流路層が分離された燃料電池において、そのアノード側、カソード側いずれのガス流路層においても、平面視が矩形のガス流路層の対向する一組の端辺近傍に形成された供給マニホールドと排気マニホールドの間で酸化剤ガスや水素ガスが流れるようになっており、他方の端辺近傍に形成されたマニホールドの間ではガスに湿度を付与するための給水マニホールドと排水マニホールドが形成されており、かかるマニホールド構成のセル構造を有する燃料電池が特許文献１に開示されている。
【０００５】
ところで、上記するガス流路層を多孔質のエキスパンドメタル（ラスメタルともいう）から形成する場合、その多孔構造は面内２方向でガスの流動抵抗が異なるものであり、ガスの拡散性の観点から、通常は流動抵抗の大きな方向にガスが流れるようになっている。これをラスメタルからなるガス流路層を平面的に見た図６に基づいて説明すると、エキスパンドメタルＡの外周を矩形輪郭で縁取るフレーム材Ｂのうち、一組の対向する２つの端辺のうちの一方の端辺にガスをガス流路層内に供給するための複数の供給マニホールドＣ，…が形成され、他方の端辺にはそれぞれの供給マニホールドＣに対応する位置にガスを排気するための排気マニホールドＤ，…が形成されている。エキスパンドメタルＡは、その多孔構造からガスの流動抵抗の大きな方向と、これに直行するガスの流動抵抗の小さな方向をその面内に備えており、通常は、供給マニホールドＣと排気マニホールドＤを繋ぐラインがガスの流動抵抗が大きな方向となるようにエキスパンドメタルＡが配されており、図中のガス流れ：Ｆ１のごとく、エキスパンドメタル間をガスが乱流状に流れて拡散されるようになっている。
【０００６】
図示のごとくガスの流れ方向が規定されることでガスの拡散性は良好となるが、その一方で、電気化学反応にて生じた生成水をこの方向に流そうとすると、該方向でのガス流れに対する流動抵抗が大きいことで排水効果が期待できず、ガス流路層に生成水が滞留し易い。また、一度滞留してエキスパンドメタルの孔が水膜で詰まってしまうと、この方向にガスを流しても毛管力によって該孔を閉塞している水膜を容易に排除しきれず、結果としてフラッティングが齎され、ＭＥＡへのガス供給が阻害され得る。
【０００７】
【特許文献１】特開２００７−１６５１７３号公報
【発明の開示】
【発明が解決しようとする課題】
【０００８】
本発明は、上記する問題に鑑みてなされたものであり、ガスの拡散性のみならず、生成水の排水性にも優れた燃料電池を提供することを目的とする。
【課題を解決するための手段】
【０００９】
前記目的を達成すべく、本発明による燃料電池は、イオン透過性の電解質膜と、該電解質膜を挟持するアノード電極層およびカソード電極層と、を少なくとも備えた膜電極接合体と、該膜電極接合体を挟持するアノード側およびカソード側のガス流路層と、該ガス流路層を挟持するアノード側およびカソード側のセパレータと、を備えてなる燃料電池であって、前記ガス流路層は対向する２つの端辺を２組備えており、一方の組の端辺近傍にはガス流路層にガスを供給する第１の供給マニホールドと、ガス流路層を流れたガスを排気する第１の排気マニホールドが設けられ、他方の組の端辺近傍には第２の供給マニホールドと第２の排気マニホールドが設けられており、少なくともカソード側のガス流路層は多孔質のエキスパンドメタルから形成されており、第１の供給マニホールドから第１の排気マニホールドへのガス流れに対する流動抵抗が、第２の供給マニホールドから第２の排気マニホールドへのガス流れに対する流動抵抗よりも大きくなっており、該ガス流路層の面内の２方向のいずれか一方向もしくは双方向に選択的にガスが流れるようになっているものである。
【００１０】
本発明の燃料電池は、ガス流路層がセパレータから分離された形態のセル構造を備えた燃料電池であり、このガス流路層が面内２方向でガスの流動抵抗が異なるエキスパンドメタルから形成されるものであり、その２方向にそれぞれ対向する一組のガス供給マニホールドとガス排気マニホールドを備え、さらに、この２方向のいずれか一方へのガス流れ、もしくは双方向へのガス流れが選択的に実行される燃料電池である。従来のセル構造を形成するエキスパンドメタルからなるガス流路層がその面内の一方向、より具体的には、エキスパンドメタルの流動抵抗の大きな方向にガスを流すものであるのに対して、本発明の燃料電池を構成するセル構造では、エキスパンドメタルからなるガス流路層の面内２方向へのガス流れをその基本構成とし、その流れ方向が選択的に制御されるものである。
【００１１】
このエキスパンドメタルからなるガス流路層は少なくともカソード側に設けられており、たとえば、カソード側のみにエキスパンドメタルからなるガス流路層が設けられ、アノード側には発泡金属からなる多孔質のガス流路層が設けられる形態であってもよいし、カソード側とアノード側の双方にエキスパンドメタルからなるガス流路層が設けられる形態であってもよい。
【００１２】
カソード側のガス流路層には酸化剤ガスが、アノード側のガス流路層には燃料ガス（水素ガス）がそれぞれ面内方向に拡散して流れ、それぞれのガス流路層に流れたガスはガス拡散層の厚み方向に拡散されながらＭＥＡに提供される。
【００１３】
また、特にカソード側のガス流路層においては、電気化学反応によって生成された生成水もガス流路層内を流れた酸化剤ガスと同様に排気マニホールドを介して排水される。
【００１４】
上記するガス流路層を少なくともカソード側に具備するセル構造を備えた本発明の燃料電池によれば、面内の一方向へガスが流されていた従来のガス流路層を備えた燃料電池に比して、２方向へのガス流れを選択することもでき、たとえば、発電時に流動抵抗の大きな通常のガス流れ方向へのガス流れが滞留水によるエキスパンドメタルの閉塞によって阻害された場合には、流動抵抗の小さな方向へのガス流れも同時に実行することにとり、ＭＥＡへのガスの提供阻害が効果的に解消される。なお、ガスの流動抵抗が大きいとは、ガス流れに対する圧力損失が大きいと言い換えることもできる。
【００１５】
また、本発明による燃料電池の好ましい実施の形態は、ガス制御手段をさらに具備しており、前記ガス制御手段により、燃料電池の発電時には、第１の供給マニホールドから第１の排気マニホールドへガスを流し、発電停止時には、第２の供給マニホールドから第２の排気マニホールドへガスを流すようにガス流れが制御されているものである。
【００１６】
２方向へのガスの流れ方向を選択自在な本発明の燃料電池において、そのガスの流れ方向を発電時と発電停止時のそれぞれの場合に変更するガス制御手段を備えたものであり、これにより、特に、生成水の効率的かつ迅速な排水が促進されるものである。
【００１７】
通常の発電時には、ガス流路層内におけるガスの拡散流動性を促進するべく、エキスパンドメタルの流動抵抗の大きな方向（第１の供給マニホールドから第１の排気マニホールドへ向う方向）にガス（カソード側では酸化剤ガス）を流すようにガス流れが制御される。なお、通常のエキスパンドメタルにおいては、流動抵抗の大きな方向にはたとえば６角形状の多孔構造が形成されており、流動抵抗の小さな方向には連続する多孔構造内を抜けながら、ほぼ直線状のガス流れが形成されるようになっている。
【００１８】
この流動抵抗の大きな方向には、上記するように、電気化学反応にて生成された生成水がエキスパンドメタルの孔を閉塞して滞留し易くなっており、発電時に生成水がエキスパンドメタルの孔を閉塞しないまでも、排気マニホールドから排水されずにガス流路層内に留まることも十分にある。これは、流動抵抗の大きな方向へのガスが拡散性には優れている一方で、ガスの流速は低下し易く、結果として滞留水を排水し難いことにも起因している。この状態で、次の発電をおこなった場合に、ガス流路層内で生成水が滞留し易くなることは理解に易く、したがって、発電停止時にはガス流路層内に留まっている生成水を十分に排水しておくことが望ましい。
【００１９】
そこで、本実施の形態では、ガス制御手段によるガスの流れ方向制御により、発電時にはエキスパンドメタルの流動抵抗の大きな方向にガスを流し、発電停止時には流動抵抗の小さな方向（第２の供給マニホールドから第２の排気マニホールドへ向う方向）、すなわち、複数の連通する流路溝に沿ってガスを流すことにより、ガス圧によってガスの流れ方向に滞留している水を押出し、第２の排気マニホールドを介して排水するものである。
【００２０】
上記するガスの流れ制御により、ガス流路層内における発電時の効果的なガスの拡散流動を確保でき、さらには、発電時に生成された生成水を発電停止時に効果的に排水することで生成水の滞留を効果的に促進することが可能となる。
【００２１】
なお、発電時および発電停止時において、ガス流路層の２方向にガス流れを実行するようにしてもよいが、ガス供給電力を節減する観点から、上記のごとく、発電時、発電停止時にそれぞれ固有の一方向へのガス流れを実行するのが好ましい。
【００２２】
また、発電停止時においてエキスパンドメタルの流動抵抗の小さな方向へ流すガスは、たとえばカソード側においては、必ずしも空気や酸素などの酸化剤ガスである必要はなく、窒素や水素、ヘリウムなど、適宜のガスを使用することができる。
【００２３】
さらに、本発明による燃料電池の好ましい実施の形態は、前記ガス制御手段により、燃料電池の発電時にエキスパンドメタル内に生成水が滞留した際に、第２の供給マニホールドから第２の排気マニホールドへのガス流れが実行制御されるものである。
【００２４】
本実施の形態では、発電時にエキスパンドメタル内に生成水が滞留し、エキスパンドメタルの孔が滞留水にて閉塞された際に、上記するガス制御手段が、流動抵抗の小さな方向へのガス流れを実行制御するものである。
【００２５】
たとえば、起電力に下限の閾値を設けておき、起電力がこの閾値に達した段階で流動抵抗の小さな方向へのガス流れを実行して滞留水を排水する制御方法や、流動抵抗の大きな方向へ流れるガス量を排気マニホールド側でセンシングしておき、ガス量が所定の閾値以下となった段階で流動抵抗の小さな方向へのガス流れを開始する制御方法などを適用できる。
【００２６】
本実施の形態によれば、発電時におけるガスの拡散流動性、発電停止時におけるガス流路層内に溜まった生成水の効果的な排水性の双方が得られ、さらには、発電時に生じ得るフラッティングの迅速な解消を実現することが可能となる。
【００２７】
上記する燃料電池は、近時その生産が拡大しており、車載される燃料電池の高性能化、特にガスの良好な拡散性とフラッティング防止の双方を実現可能な燃料電池の開発が叫ばれている電気自動車やハイブリッド車等に好適である。
【発明の効果】
【００２８】
以上の説明から理解できるように、本発明の燃料電池によれば、エキスパンドメタルからなるガス流路層の面内２方向に選択的にガスを流すことにより、発電時のガスの良好な拡散流動と、発電停止時の生成水の良好な排水の双方を実現することができる。
【発明を実施するための最良の形態】
【００２９】
以下、図面を参照して本発明の実施の形態を説明する。図１は本発明の燃料電池スタックを構成する単セルの一実施の形態の縦断面図である。
【００３０】
図１は、本発明の燃料電池の単セルの一実施の形態の縦断図を示している。この単セル１００は、電解質膜１１とこれを挟持するカソード電極層１２およびアノード電極層１３とからなる膜電極接合体１０（ＭＥＡ）と、膜電極接合体１０を挟持するガス拡散層１４，１５とからなる電極体１０Ａ（ＭＥＧＡ）が形成されており、この電極体１０Ａのカソード電極側のガス流路層２０およびアノード電極側のガス流路層３０と、さらにガス流路層２０，３０を挟持するセパレータ４０，４０とから大略構成されるものである。
【００３１】
電解質膜１１は、スルホン酸基やカルボニル基を持つフッ素系イオン交換膜、置換フェニレンオキサイドやスルホン化ポリアリールエーテルケトン、スルホン化ポリアリールエーテルスルホン、スルホン化フェニレンスルファイドなどの非フッ素系のポリマーなどからなり、電極層１２，１３は、白金やその合金からなる触媒をカーボン等に担持させた多孔質素材からなる。ガス拡散層１４，１５はカーボンペーパーやカーボンクロスなどのガス透過性の素材から形成され、ガス流路層２０，３０は多孔質のエキスパンドメタルから形成される。
【００３２】
３層構造のセパレータ４０は、隣接する単セルとの間でセル間を画成する面材４３と、これに対向するＭＥＧＡ側の面材４１と、これら面材４１，４３間に介層され、面材４１，４３の外周輪郭に沿う枠状（無端状）に形成された樹脂素材のスペーサ４２と、から構成されている。この面材４１，４３は、ガス不透過性の緻密なカーボン材や緻密黒鉛材などから形成される。面材４１における面材４３に対向する側面には、不図示の多数の突起（ディンプル）が備えてあり、この突起がスペーサ４２の厚み分の高さを有していることにより、３層構造となった際に、突起の先端が面材４３の側面と当接され、乱流状に突起間を流れる冷却水の流路が形成される。
【００３３】
酸化剤ガスをガス流路層２０を介してカソード電極層１２に提供するために、セパレータ４０には流入マニホールド４０ａが形成されており、ガス流路層２０を縁取るフレーム２１には図示する積層態様においてこの流入孔４０ａに対応する位置に第１の供給マニホールド２１ａが形成されている。なお、アノード電極側においても、燃料ガスである水素ガスをアノード電極層１３に提供するための供給マニホールドがガス流路層３０を縁取るフレーム３１に形成されており、セパレータ４０に形成された流入マニホールドに連通している。
【００３４】
カソード電極側では、電気化学反応によって生成水が生じるが、この生成水は、上記する上流側の第１の供給マニホールド２１ａに対応する下流側位置において、ガス流路層２０の外周のフレーム２１に形成された第１の排気マニホールド２１ｂを介し、これが連通するセパレータ４０に形成された流出マニホールド４０ｂを介して排水されるようになっている。
【００３５】
さらに、カソード電極層１２とアノード電極層１３の各層に提供されるガスのシール性を担保するためのシール材５０が電極体１０Ａの側端部に設けられている。このシール材５０は、樹脂シートをラミネートしたものや、射出成形にて形成されたゴムガスケットなどからなる。
【００３６】
実際の燃料電池においては、所望する発電量に応じて図示する単セル１００が所定段積層されて燃料電池スタックが形成される。さらに、この燃料電池スタックは、最外側にエンドプレート、テンションプレート等を備え、両端のテンションプレート間に圧縮力が加えられて燃料電池が形成される。
【００３７】
電気自動車等に車載される燃料電池システムは、この燃料電池と、水素ガスや空気を収容する各種タンク、これらのガスを燃料電池に提供するためのブロア、燃料電池を冷却するためのラジエータ、燃料電池で生成された電力を蓄電するバッテリ、この電力で駆動する駆動モータ等から大略構成されるものである。
【００３８】
また、図示を省略するが、発電時にカソード側のガス流路層２０に所定量の酸化剤ガスを、アノード側のガス流路層３０に所定量の燃料ガスを供給し、発電停止時には、適宜のガスをガス流路層２０，３０内に供給するガス制御装置がこの燃料電池システム内に設けられている。このガス制御装置によるガスの流れ制御方法は後述する。
【００３９】
図２は図１のII−II矢視図であって発電時のガス流れを説明した図であり、図３は図２のIII部を拡大して斜視的に見たものである。エキスパンドメタルからなるガス流路層２０は外周を矩形輪郭のフレーム２１で囲繞されており、フレーム２１の対向する端辺において、酸化剤ガスが流入する複数の第１の供給マニホールド２１ａが設けてあり、これに対向する端辺においてそれぞれの第１の供給マニホールド２１ａに対応する位置には第１の排気マニホールド２１ｂが設けてある。この排気マニホールド２１ｂは、ガス流路層２０内を流れた酸化剤ガスのほかに、電気化学反応にて生成された生成水を排出するマニホールドでもある。図示例では、３つの第１の供給マニホールド２１ａと、これらに対応する他方の端辺位置、すなわち、対応する第１の供給マニホールド２１ａとの間で直線的にガスが流れた場合にこれが排出される位置に３つの第１の排気マニホールド２１ｂが形成されている。
【００４０】
また、第１の供給マニホールド２１ａから第１の排気マニホールド２１ｂへ向う方向と直交する方向のフレーム２１の端辺には、やはりガスをガス流路層２０内に供給する第２の供給マニホールド２２ａと、その対向する端辺位置においてガス流路層２０内を流れたガスが排気される第２の排気マニホールド２２ｂが形成されており、図示例では、これら第２の供給マニホールド２２ａ、排気マニホールド２２ｂも３組形成されている。なお、第１の供給マニホールド２１ａ、排気マニホールド２１ｂ、第２の供給マニホールド２２ａ、排気マニホールド２２ｂそれぞれの基数が図示例に限定されるものでないことは言うまでもない。
【００４１】
ガス流路層２０を構成するエキスパンドメタルは、図３で示すように山部Ｙと谷部Ｔが交互に形成された一条の波型部Ｎが複数条並列に配置されたものであり、かつ、相隣る一方の波型部Ｎの山部Ｙに他方の波型部Ｎの谷部Ｔが対向する姿勢で形成されており、谷部Ｔを流れたガスが次ぎの山部Ｙに衝突し、これを繰り返しながら流れていくことで（図中のガス流れ：Ｆ１）、ガス流れに対する流動抵抗が大きくなる。
【００４２】
図２に戻り、第１の供給マニホールド２１ａから第１の排気マニホールド２１ｂに向う方向の流動抵抗が大きくなるようにエキスパンドメタルが配されており、図示のごときガス流路層２０内を酸化剤ガスが乱流状に流れる結果（図中のＦ１のガス流れ）、ガス流路層２０内における酸化剤ガスの拡散流動が促進される。ガス流路層２０内を拡散流動した酸化剤ガスは、ガス拡散層１４を介してその厚み方向に拡散され、ＭＥＡ１０に供給されることとなる。なお、アノード側においても同様の流れで燃料ガスが拡散され、ＭＥＡ１０に供給される。
【００４３】
燃料電池の発電時においては、不図示のガス制御装置により、第１の供給マニホールド２１ａのみから酸化剤ガスがガス流路層２０内に供給されるようになっている。
【００４４】
発電が進行するにつれて、電気化学反応にて生成され、排水しきれずにガス流路層２０内に残った生成水が蓄積していく。
【００４５】
発電が終了したら、ガス流路層２０内に残った生成水を効率的に排水するべく、図４で示すように、適宜のガス（空気、窒素ガスなど）を第２の供給マニホールド２２ａからガス流路層２０内に供給し、第２の排気マニホールド２２ｂを介してガスを排気するとともに（図中のＦ２のガス流れ）、このガス圧にて生成水を第２の排気マニホールド２２ｂに押し出して排水する。発電終了後に、第１の供給マニホールド２１ａからの酸化剤ガスの供給を停止させ、次いで第２の供給マニホールド２２ａからのガスの供給を開示し、所定時間後にこのガス供給を停止させるガスの流れ制御も、上記するガス制御装置によって実行される。
【００４６】
図４のV部を拡大して斜視図で示した図５から明らかなように、エキスパンドメタルは一条の波型部Ｎがそれぞれの山部Ｙ，谷部Ｔをずらしながら並列配置されており、したがって、波型部Ｎ，Ｎ間にできた連続する隙間を介して比較的直線状のガス流れ：Ｆ２が励起される。
【００４７】
このような略直線状のガス流れは、図３で示すガス流れ：Ｆ１に対して流動抵抗が格段に小さいものであり、その流速は格段に高められ、エキスパンドメタル内に溜まった生成水の排水性が良好となる。したがって、比較的短時間のガス流れにより、溜まった生成水を効果的に排水することができる。
【００４８】
また、発電時にフラッティングが生じ、図２，３で示すガス流れ：Ｆ２が阻害される場合もある。このような場合には、図２で示す酸化剤ガスのガス流れを続行しながら、図４で示すガス流れを同時に実行するガスの流れ制御がガス制御装置にておこなわれる。たとえば、燃料電池システム内の計測装置にて計測された発電量（起電力）に下限閾値を設けておき、この閾値を下回った段階でガス流路層２０内にガス流れを阻害する（発電を阻害する）生成水のフラッティングが生じていると特定する。フラッティングと特定された段階で、ガス制御装置によって図４のガス流れ：Ｆ１が実行され、滞留する生成水を排気マニホールド２２ｂへ排水することでフラッティングを短時間に解消することができる。
【００４９】
上記する本発明の燃料電池によれば、発電時にはガス流路層内を流動抵抗の大きな方向に酸化剤ガスが流れることで良好なガスの拡散流動がおこなわれ、発電時のフラッティングの際、もしくは、発電停止時には、ガス流路層内を流動抵抗の小さな方向にガスが流れることで該ガス流路層内に溜まった生成水を効率よく迅速に排水することができる。また、発電時、発電停止時にそれぞれ固有の一方向へガスを流すことにより、一度に２方向へガスを流す場合に比してガス供給源（たとえばブロア）の電力節減に繋がる。
【００５０】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００５１】
【図１】本発明の燃料電池を構成する単セルの縦断面図である。
【図２】図１のII−II矢視図であって、発電時のガス流れを説明した図である。
【図３】図２のIII部を拡大した斜視図である。
【図４】図１のII−II矢視図であって、発電停止時のガス流れを説明した図である。
【図５】図４のV部を拡大した斜視図である。
【図６】従来の燃料電池の単セルを構成するガス流路層内のガス流れを説明した平面図である。
【符号の説明】
【００５２】
１０…膜電極接合体（ＭＥＡ）、１０Ａ…膜電極接合体とガス拡散層からなる電極体（ＭＥＧＡ）、１１…電解質膜、１２…カソード電極層、１３…アノード電極層、１４，１５…ガス拡散層（ＧＤＬ）、２０，３０…ガス流路層、２１，３１…フレーム、２１ａ…第１の供給マニホールド、２１ｂ…第１の排気マニホールド、２２ａ…第２の供給マニホールド、２２ｂ…第２の排気マニホールド、４０…セパレータ、４０ａ…流入孔、４０ｂ…流出孔、４１，４３…面材、４２…スペーサ、５０…シール材、１００…燃料電池の単セル、Ｙ…山部、Ｔ…谷部、Ｎ…波型部
【図１】
2009277539.tif 000003
【図２】
2009277539.tif 000004
【図３】
2009277539.tif 000005
【図４】
2009277539.tif 000006
【図５】
2009277539.tif 000007
【図６】
2009277539.tif 000008